(57)【要約】【課題】施工性に優れ、安全性の高い床パネルの取付構造を提案する。【解決手段】梁２のフランジ８上に載置される床パネル４を、取付金具６と、取付金具６から上方に突設されるボルト１８と、ボルト１８の上部に締め付けられるナット３８とを用いて、梁２に固定する。取付金具６は、所定の取付姿勢にて取付金具６の回転を係止する係止構造２４を有する。床パネル４に透孔２８を上下方向に貫通形成し、この透孔２８にボルト１８を下方から挿入した状態で、ボルト１８に対して上方からナット３８を締め付ける。この際にボルト１８と取付金具６が一体に共回りされ、取付金具６は取付姿勢に至った時点で回転が係止される。ここから更にナット３８を締め付け、ナット３８と取付金具６の間で、床パネル４とフランジ８を強固に挟持する。【選択図】図１
2014148785.tif 000002
【特許請求の範囲】
【請求項１】
梁のフランジ上に載置される床パネルを、取付金具と、前記取付金具から上方にむけて一体に突設されるボルトと、前記ボルトの上部に締め付けられるナットとを用いて、前記梁に固定する構造であって、
前記取付金具は、所定の取付姿勢にて前記フランジの下面を受ける受板部と、前記取付姿勢にて前記取付金具の回転を係止する係止構造とを有し、
前記床パネルに透孔を上下方向に貫通形成し、前記透孔に前記ボルトを下方から挿入した状態で、前記ボルトに対して前記床パネルの上方から前記ナットを締め付け、
この際に前記ボルトと前記取付金具が一体に共回りされ、前記取付金具が前記取付姿勢に至った時点で回転が係止されることで、
前記ボルトに対して更に締め付けた前記ナットと、前記取付姿勢にある前記取付金具との間で、前記床パネルと前記フランジとが上下方向に挟持されるように設けたことを特徴とする床パネルの取付構造。
【請求項２】
梁のフランジ上に載置される床パネルを、取付金具と、前記取付金具に固着されるナットと、前記ナットに対して上方から螺入されるボルトとを用いて、前記梁に固定する構造であって、
前記取付金具は、所定の取付姿勢にて前記フランジの下面を受ける受板部と、前記取付姿勢にて前記取付金具の回転を係止する係止構造とを有し、
前記床パネルに透孔を上下方向に貫通形成し、前記透孔に前記ボルトを上方から挿入し、前記透孔の下方に位置する前記ナットに前記ボルトの下部を螺入し、
この際に前記ナットと前記取付金具が一体に共回りされ、前記取付金具が前記取付姿勢に至った時点で回転が係止されることで、
前記ナットに更に螺入させた前記ボルトの頭部と、前記取付姿勢にある前記取付金具との間で、前記床パネルと前記フランジとが上下方向に挟持されるように設けたことを特徴とする床パネルの取付構造。
【請求項３】
前記係止構造は、前記梁のウエブに当たって前記取付金具の回転を係止するように設けた係止面からなることを特徴とする請求項１又は２に記載の床パネルの取付構造。
【発明の詳細な説明】
【技術分野】
【０００１】
本発明は、梁に床パネルを取り付けるための構造に関する。
【背景技術】
【０００２】
建物の梁に床パネルを取り付けるための構造として、特許文献１の図５等に示される構造が、従来知られている。
【０００３】
この従来の構造では、梁のフランジ上に床パネルを載置し、床パネルに設けた透孔を通じて上方からボルトを挿入し、床パネルの下方に配した取付金具を、床パネルの下面から突出したボルトに対してナットを締め付けることで固定する。これにより、取付金具と床パネルの間でフランジを挟持する。
【先行技術文献】
【特許文献】
【０００４】
【特許文献１】特開２０００−２７３９９５号公報
【発明の概要】
【発明が解決しようとする課題】
【０００５】
上記した従来の取付構造では、梁のフランジ上に床パネルを載置した後に、床パネルの上面側から作業と、床パネルの下面側からの作業を、共に行う必要がある。そのため、作業性が悪いという問題がある。
【０００６】
これに対して、例えば特許文献１では、取付金具の下部にＵ字状に湾曲した挟持部を設け、この挟持部によって梁のフランジを弾性的に挟持させる構造が提案されている。この構造によれば、床パネルの下面側からナットを締め付ける作業が不要である。
【０００７】
しかし、この構造は、ボルト、ナットのような締結手段で取付金具をフランジに対して強固に固定するものではなく、即ち、締結手段によって床パネルをフランジに対して強固に固定するものではない。
【０００８】
本発明は前記問題点に鑑みて発明したものであって、梁のフランジ上に床パネルを載置した状態で、床パネルの上面側からの作業だけで、締結手段によって床パネルをフランジに対して強固に固定することのできる床パネルの取付構造を提案することを、課題とする。
【課題を解決するための手段】
【０００９】
前記課題を解決するために、第１発明を、下記構成を具備する床パネルの取付構造とする。
【００１０】
第１発明は、梁のフランジ上に載置される床パネルを、取付金具と、前記取付金具から上方にむけて一体に突設されるボルトと、前記ボルトの上部に締め付けられるナットとを用いて、前記梁に固定する構造である。前記取付金具は、所定の取付姿勢にて前記フランジの下面を受ける受板部と、前記取付姿勢にて前記取付金具の回転を係止する係止構造とを有する。前記床パネルに透孔を上下方向に貫通形成し、前記透孔に前記ボルトを下方から挿入した状態で、前記ボルトに対して前記床パネルの上方から前記ナットを締め付ける。この際に前記ボルトと前記取付金具が一体に共回りされ、前記取付金具が前記取付姿勢に至った時点で回転が係止されることで、前記ボルトに対して更に締め付けた前記ナットと、前記取付姿勢にある前記取付金具との間で、前記床パネルと前記フランジとが上下方向に挟持されるように設ける。
【００１１】
また、前記課題を解決するために、第２発明を、下記構成を具備する床パネルの取付構造とする。
【００１２】
第２発明は、梁のフランジ上に載置される床パネルを、取付金具と、前記取付金具に固着されるナットと、前記ナットに対して上方から螺入されるボルトとを用いて、前記梁に固定する構造である。前記取付金具は、所定の取付姿勢にて前記フランジの下面を受ける受板部と、前記取付姿勢にて前記取付金具の回転を係止する係止構造とを有する。前記床パネルに透孔を上下方向に貫通形成し、前記透孔に前記ボルトを上方から挿入し、前記透孔の下方に位置する前記ナットに前記ボルトの下部を螺入する。この際に前記ナットと前記取付金具が一体に共回りされ、前記取付金具が前記取付姿勢に至った時点で回転が係止されることで、前記ナットに更に螺入させた前記ボルトの頭部と、前記取付姿勢にある前記取付金具との間で、前記床パネルと前記フランジとが上下方向に挟持されるように設ける。
【００１３】
第１発明と第２発明において共に、前記係止構造は、前記梁のウエブに当たって前記取付金具の回転を係止するように設けた係止面からなることが好ましい。
【発明の効果】
【００１４】
本発明は、梁のフランジ上に床パネルを載置した状態で、床パネルの上面側からの作業だけで、締結手段によって床パネルをフランジに対して強固に固定することができるという効果を奏する。
【図面の簡単な説明】
【００１５】
【図１】本発明の第１実施形態の床パネルの取付構造を示す分解斜視図である。
【図２】同上の取付構造の要部を下方から見た図である。
【図３】同上の取付構造の一部破断図である。
【図４】同上の取付構造の変形例を示す分解斜視図である。
【図５】同上の変形例の要部を下方から見た図である。
【図６】本発明の第２実施形態の床パネルの取付構造を示す分解斜視図である。
【図７】同上の取付構造の一部破断図である。
【発明を実施するための形態】
【００１６】
本発明を、添付図面に示す実施形態に基づいて説明する。
【００１７】
図１〜図３には、本発明の第１実施形態の床パネルの取付構造を示している。
【００１８】
本実施形態の床パネルの取付構造は、建物の架構体である金属製の梁２と、この梁２上に載置された床パネル４とを、取付金具６を用いて固定するものである。本実施形態の梁２は、ウエブ９の上下端にフランジ８を有するＨ形鋼で構成されている。
【００１９】
床パネル４はＡＬＣパネルで構成され、この床パネル４の端縁部が、梁２の上端に設けたフランジ８上に載置される。
【００２０】
取付金具６は、金属板を略クランク状に折り曲げて形成した、所謂イナズマプレートである。取付金具６は、互いに平行である一対の受板部１０を、段差部１２を介して一連に形成した部材である。以下においては、使用時に下方に位置する側の受板部１０を「第一受板部１４」と称し、使用時に上方に位置する側の受板部１０を「第二受板部１６」と称する。
【００２１】
第一受板部１４は、フランジ８の下面を受けるように平板状に設けた部分であり、第二受板部１６は、床パネル４の下面を受けるように平板状に設けた部分である。
【００２２】
第二受板部１６には、ボルト１８を挿通するための挿通孔２０を貫通形成している。第一受板部１４のうち、段差部１２や第二受板部１６から離れた側に位置する端縁部には、取付金具６が所定の取付姿勢にあるときに梁２に当接する係止面２５を形成している。本実施形態では、段差部１２と係止面２５を平行に設けている。この係止面２５が、取付金具６の回転を所定の取付姿勢で係止する係止構造２４を構成する。
【００２３】
図２、図３に示すように、第二受板部１６の下面には更にナット２６が溶接される。取付金具６の挿通孔２０に挿通されたボルト１８の下端部が、このナット２６に螺合することで、第二受板部１６の上面からボルト１８が立設される。ボルト１８には、少なくとも上端部と下端部に、雄ねじを形成している。
【００２４】
床パネル４の端縁部には、上下に貫通する透孔２８が形成される。透孔２８はざぐり加工を施した孔であり、円形の主部３０と、主部３０よりも大径である上端の大径部３２とを有する。
【００２５】
本実施形態において、床パネル４を梁２に固定するには、まず、端縁部に透孔２８を加工した床パネル４に対して、ボルト１８やこれと一体になった取付金具６をセットする。このとき、取付金具６から上方に立設されるボルト１８を、透孔２８に対して下方から挿入し、ボルト１８の上端部を大径部３２内に突出させる。大径部３２内にはボルト１８の上端部の雄ねじが位置し、この雄ねじに対して、床パネル４の上方から座金３６を介してナット３８を螺合させる。
【００２６】
ここでのナット３８の螺合には、ボルト１８が透孔２８内で回動する程度の遊びを持たせる。これにより、床パネル４に対してボルト１８及び取付金具６を仮保持させる。取付金具６は、図１に示す仮保持姿勢で、床パネル４の下面に仮保持される。
【００２７】
次いで、ボルト１８や取付金具６を仮保持させた床パネル４の端縁部を、梁２のフランジ８上に載置する。このとき、床パネル４の下面にて仮保持姿勢にある取付金具６が、フランジ８の端縁よりも少し外側に位置するようにセットする。
【００２８】
床パネル４の載置を完了すれば、今度は床パネル４の上方からの作業により、大径部３２内のナット３８を、締結方向に更に回転させる。ナット３８の回転に伴って、ボルト１８は取付金具６と一体に共回りを行い、仮保持姿勢にあった取付金具６が、図２中に一点鎖線で示す取付姿勢にまで回転する。図２は、下方から見上げた図である。取付金具６の角部分に設けた係止面２５は、この取付金具６が所定の取付姿勢に至った時点でウエブ９の側面に押し当たり、これによって取付金具６の回転は係止される。
【００２９】
その後、更に床パネル４の上方からナット３８を締結方向に回転させることで、取付金具６を所定の取付姿勢に保ったまま、床パネル４の下面に強固に固着させることができる。
【００３０】
所定の取付姿勢で床パネル４の下面に固着された取付金具６は、平板状である第一受板部１４の上面の略全体でフランジ８の下面を受け、平板状である第二受板部１６の上面の略全体で、床パネル４の下面を受ける。床パネル４とフランジ８は、上記のように強く締め付けたナット３８と取付金具６との間で上下方向に挟持され、床パネル４がフランジ８に対して強固に固定される。
【００３１】
図４、図５には、係止構造２４の変形例を示している。この例では、取付部材６を構成する第二受板部１６のうち、第一受板部１４から離れた側に位置する角部分を略直角に折り返し、回転止め用の突起部２２を形成している。この例では、爪状をなす突起部２２が、取付金具６の回転を所定の取付姿勢で係止する係止構造２４を構成する。
【００３２】
更に、床パネル４の下面には、透孔２８と連続する部分に、回転止め用の溝部３４をざぐり加工によって形成する。
【００３３】
図４、図５の例で床パネル４を梁２に固定するには、まず、透孔２８や溝部３４を加工した床パネル４に対して取付金具６をセットし、透孔２８の大径部３２に位置するボルト１８の上端部にナット３８を螺合させ、ボルト１８及び取付金具６を仮保持させる。この床パネル４の端縁部をフランジ８上に載置したうえで、床パネル４の上方からの作業によりナット３８を締結方向に回転させると、取付金具６はボルト１８と一体に共回りを行い、仮保持姿勢にあった取付金具６が、図５中に一点鎖線で示す取付姿勢にまで約９０度回転する。
【００３４】
このとき、取付金具６の第二受板部１６から上方に突出した突起部２２は、床パネル４の下面の溝部３４内を回転移動し、取付金具６が所定の取付姿勢に至った時点で、溝部３４の内壁面に当るように設けている。突起部２２が溝部３４の内壁面に当ることで、取付金具６の回転は所定の取付姿勢で係止される。その後、更に床パネル４の上方からナット３８を締結方向に回転させることで、取付金具６を所定の取付姿勢に保ったまま、床パネル４の下面に強固に固着させることができる。
【００３５】
次に、本発明の第２実施形態の床パネルの取付構造について、図６、図７に基づいて説明する。なお、本実施形態の構成のうち、既述した第１実施形態と同様の構成については、同一符号を付して詳しい説明を省略する。
【００３６】
本実施形態では、第１実施形態と同様の取付金具６を利用して、梁２のフランジ８上に載置される床パネル４を、ナット４０とボルト４２を用いて梁２に固定する。
【００３７】
本実施形態の取付金具６の第二受板部１６の下面にはナット４０が固着され、第二受板部１６の上面には、上下端の貫通した円筒形状のガイド筒４４が固着されている。ガイド筒４４の貫通孔は、ボルト４２が回転自在に挿通される寸法形状である。第二受板部１６に貫通形成した挿通孔２０は、ナット４０が有する雌ねじ孔と、ガイド筒４４の貫通孔に対して、それぞれ上下方向に一直線状に連通する。
【００３８】
ガイド筒４４は上端に鍔部４６を有し、この鍔部４６で抜け止めされる円筒型の仮保持部材４８を、ガイド筒４４の外周に嵌め込んで保持させている。仮保持部材４８は、或る程度の弾性を有する樹脂製の部材である。
【００３９】
ボルト４２には、少なくとも下端部に雄ねじを形成している。ボルト１８は、上端部に大径の頭部５０を有する頭付ボルトであり、頭部５０の下方に座金５２を嵌めている。
【００４０】
床パネル４の端縁部には、上下に貫通する透孔５４が形成される。透孔５４は、円形の主部５６と、主部５６よりも大径である上端の大径部５８とを有する。主部５６は、仮保持部材４８が圧入される寸法形状を有する。
【００４１】
本実施形態において、床パネル４を梁２に固定するには、まず、端縁部に透孔５４を加工した床パネル４に対して、ナット４０やガイド筒４４を一体に結合させた取付金具６をセットする。
【００４２】
具体的には、取付金具６から上方に立設されるガイド筒４４を、透孔５４の主部５６に対して仮保持部材４８ごと下方から挿入し、透孔５４内に仮保持部材４８を圧入する。取付金具６は、仮保持部材４８の圧入により、ガイド筒４４を介して床パネル４の下面に仮保持される。
【００４３】
次いで、第１実施形態と同様の仮保持姿勢で取付金具６をセットした床パネル４の端縁部を、梁２のフランジ８上に載置する。
【００４４】
床パネル４の載置を完了すると、今度は床パネル４の上方から、ガイド筒４４を通してボルト４２を下方に挿通し、ボルト４２の下端部をナット４０の雌ねじ孔に螺合させてゆく。このとき、ボルト４２の回転に伴って、ナット４０と一体に取付金具６が共回りを行い、仮保持姿勢でセットされていた取付金具６が、図７に示す所定の取付姿勢にまで回転する。
【００４５】
取付金具６は、第１実施形態の場合と同様に、所定の取付姿勢に至った時点で、係止面２５がウエブ９の側面に当ることで回転を係止される。
【００４６】
その後、更に床パネル４の上方からボルト４２を締結方向に回転させることで、取付金具６を所定の取付姿勢に保ったまま、床パネル４の下面に強固に固着させることができる。床パネル４とフランジ８は、ボルト４２の頭部５０と取付金具６との間で、上下方向に挟持される。これにより、床パネル４がフランジ８に対して強固に固定される。
【００４７】
なお、本実施形態においても、係止構造２４としてウエブ９の側面に当たる係止面２５を設ける代わりに、図４、図５に示した変形例の構造を設けてよいし、或いは係止面２５を設けると共に前述の変形例の構造を設けてもよい。また、係止構造２４として更に別の構造を用いても構わない。
【００４８】
以上、説明したように、本発明の第１実施形態の床パネルの取付構造は、梁２のフランジ８上に載置される床パネル４を、取付金具６と、取付金具６から上方にむけて一体に突設されるボルト１８と、ボルト１８の上部に締め付けられるナット３８とを用いて、梁２に固定する構造である。取付金具６は、所定の取付姿勢にてフランジ８の下面を受ける受板部１０と、この取付姿勢にて取付金具６の回転を係止する係止構造２４とを有する。そして、床パネル４に透孔２８を上下方向に貫通形成し、この透孔２８にボルト１８を下方から挿入した状態で、ボルト１８に対して床パネル４の上方からナット３８を締め付け、この際にボルト１８と取付金具６が一体に共回りされ、取付金具６については所定の取付姿勢に至った時点で回転が係止されるように設けることで、ボルト１８に対して更に締め付けたナット３８と、取付姿勢にある取付金具６との間で、床パネル４とフランジ８とが上下方向に挟持される構造である。
【００４９】
この取付構造によれば、床パネル４を梁２上に載置した後は、固定作業を全て床パネル４の上面側から行うことが可能となる。そのため、施工性に優れ、また、安全性も高いという利点がある。
【００５０】
また、本発明の第２実施形態の床パネルの取付構造は、梁２のフランジ８上に載置される床パネル４を、取付金具６と、取付金具６に固着されるナット４０と、床パネル４に取付金具６及びナット４０を仮保持する仮保持手段と、ナット４０に対して上方から螺入されるボルト４２とを用いて、梁２に固定する構造である。本実施形態での仮保持手段はガイド筒４４や仮保持部材４８であるが、他の手段を用いてもよい。取付金具６は、所定の取付姿勢にてフランジ８の下面を受ける受板部１０と、この取付姿勢にて取付金具６の回転を係止する第１実施形態と同様の係止構造２４とを有する。そして、床パネル４に透孔５４を上下方向に貫通形成し、仮保持手段によって透孔５４の下方に取付金具６とナット４０を仮保持した状態で、床パネル４の上方から透孔５４を通じてボルト４２を挿入し、ナット４０にボルト４２の下部を螺入する。この際にナット４０と取付金具６が一体に共回りされ、取付金具６については所定の取付姿勢に至った時点で回転が係止されるように設けることで、ナット４０に更に螺入させたボルト４２の頭部５０と、取付姿勢にある取付金具６との間で、床パネル４とフランジ８とが上下方向に挟持される構造である。
【００５１】
この取付構造によれば、床パネル４を梁２上に載置した後は、固定作業を全て床パネル４の上面側から行うことが可能となる。そのため、施工性に優れ、また、安全性も高いという利点がある。
【００５２】
また、第１実施形態と第２実施形態の両方において、係止構造２４は、梁２のウエブ９に当たって取付金具６の回転を係止するように設けた係止面２５からなる。そのため、共回りする取付金具６をこの簡単な構造で、所定の取付位置で確実に係止させることが可能となる。
【００５３】
以上、本発明を添付図面に示す実施形態に基づいて説明したが、本発明は前記実施形態に限定されるものではない。本発明の意図する範囲内であれば、適宜の設計変更を行うことが可能である。
【符号の説明】
【００５４】
２  梁
４  床パネル
６  取付金具
８  フランジ
１０  受板部
１８  ボルト
２４  係止構造
２５  係止面
２８  透孔
３２  ナット
４０  ナット
４２  ボルト
５０  頭部
５４  透孔
【図１】
2014148785.tif 000003
【図２】
2014148785.tif 000004
【図３】
2014148785.tif 000005
【図４】
2014148785.tif 000006
【図５】
2014148785.tif 000007
【図６】
2014148785.tif 000008
【図７】
2014148785.tif 000009